(57)【要約】  オーディオ信号のエンコーディング及びデコーディング方法及び装置が提供される。本発明は、ダウンミックス信号及び空間情報信号を含むオーディオ信号を受信するステップと、ヘッダーが前記空間情報信号に含まれる場合、前記ヘッダーから構成情報を抽出するステップと、前記空間情報信号に含まれた空間情報を抽出するステップと、前記構成情報及び前記空間情報を利用して前記ダウンミックス信号を多重チャンネル信号に変換するステップと、を含む。これによって、ヘッダーは空間情報信号に選択的に含まれることができ、複数個のヘッダーが空間情報信号に含まれる場合、ランダムポイントからオーディオ信号を再生する場合に空間情報をデコーディングすることができる。【選択図】図１
2009500659.tif 000002
【特許請求の範囲】
【請求項１】
オーディオ信号のデコーディング方法であって、
ダウンミックス信号及び空間情報信号を含むオーディオ信号を受信するステップと、
ヘッダーが前記空間情報信号に含まれる場合、前記ヘッダーから構成情報を抽出するステップと、
前記空間情報信号に含まれた空間情報を抽出するステップと、
前記構成情報及び前記空間情報を利用して前記ダウンミックス信号を多重チャンネル信号に変換するステップと、
を有することを特徴とするオーディオ信号のデコーディング方法。
【請求項２】
前記ダウンミックス信号を変換するステップは、
前記構成情報に含まれた時間整列情報を利用して前記ダウンミックス信号及び前記空間情報の開始ポイントを調節するステップと、
前記空間情報に含まれたパラメータを、前記空間情報に含まれた対応する時間スロットの位置情報を利用して対応する時間スロットに適用するステップと、
を有する請求項１に記載のオーディオ信号のデコーディング方法。
【請求項３】
前記時間スロットの量を示す位置情報は可変である、請求項２に記載のオーディオ信号のデコーディング方法。
【請求項４】
Ｎ番目のパラメータが適用される時間スロットの量を示す位置情報は、前記時間スロットの数、前記パラメータの数、Ｎ及び(Ｎ−１)番目のパラメータが適用される時間スロットの位置情報を含むグループから選択された少なくとも一つの情報を利用して獲得される、請求項２に記載のオーディオ信号のデコーディング方法。
【請求項５】
二番目以後のパラメータが適用される時間スロットの量を示す位置情報は、Ｃｅｉｌ(ｌｏｇ2(ｋ−ｉ＋Ｎ＋１−ｊ(Ｎ−１)))により獲得され、そこで、‘ｋ’、‘ｉ’及び‘J(Ｎ−１)’は、時間スロットの数、パラメータの数及び(Ｎ−１)番目のパラメータが適用される時間スロットの位置情報を示す、請求項４に記載のオーディオ信号のデコーディング方法。
【請求項６】
一番目のパラメータが適用される時間スロットの量を示す位置情報は、Ｃｅｉｌ(ｌｏｇ2(ｋ−ｉ＋１))により獲得され、そこで、‘ｋ’及び‘Ｉ’は、時間スロットの数及びパラメータの数を示す、請求項４に記載のオーディオ信号のデコーディング方法。
【請求項７】
Ｎ番目のパラメータが適用される時間スロットの位置情報は、ｊ(Ｎ−１)＋ｒ(Ｎ)＋１により獲得され、そこで、r(Ｎ)はＮ番目のパラメータが適用される時間スロットと(Ｎ−１)番目のパラメータが適用される時間スロットとの間に存在する時間スロットの数を示す、請求項５に記載のオーディオ信号のデコーディング方法。
【請求項８】
前記オーディオ信号は、前記空間情報信号が前記ダウンミックス信号と結合するか否かを示す信号識別情報及び前記ヘッダーが前記空間情報信号に含まれるか否かを示すヘッダー識別情報を含むグループから選択された少なくとも一つ情報を含むことを特徴とする請求項１に記載のオーディオ信号のデコーディング方法。
【発明の詳細な説明】
【技術分野】
【０００１】
本発明は、オーディオ信号処理に関し、特に、オーディオ信号のエンコーディング及びデコーディング方法及び装置に関する。
【背景技術】
【０００２】
一般に、オーディオ信号エンコーディング装置は、多重チャンネルオーディオ信号の各チャンネルを圧縮する代りにオーディオ信号をモノまたはステレオタイプのダウンミックス(ｄｏｗｎｍｉｘ)信号で圧縮する。オーディオ信号エンコーディング装置は、圧縮されたダウンミックス信号を空間情報信号(または補助データ信号)とともにデコーディング装置に伝送するか、または圧縮されたダウンミックス信号及び空間情報信号を記憶媒体に保存する。
【０００３】
この場合、多重チャンネルオーディオ信号をダウンミキシングする時に抽出される空間情報信号は、圧縮されたダウンミックス信号から元の多重チャンネルオーディオ信号を復元するために使用される。
【０００４】
空間情報信号はヘッダー及び空間情報を含む。また、構成情報はヘッダーに含まれる。ヘッダーは空間情報を解釈するための情報である。
【０００５】
オーディオ信号デコーディング装置はヘッダーに含まれた構成情報を利用して空間情報をデコードする。ヘッダーに含まれた構成情報はデコーディング装置に伝達されるか、または空間情報とともに記憶媒体に保存される。
【０００６】
オーディオ信号エンコーディング装置は、エンコードされたダウンミックス信号及び空間情報信号を一緒にビットストリーム形態で多重化した後、多重化された信号をデコーディング装置に伝送する。一般的に構成情報は不変なので、構成情報を含むヘッダーはビットストリームに一度に挿入される。構成情報がオーディオ信号に初期に一度に挿入された状態で伝送されるので、オーディオ信号デコーディング装置は、ランダムタイミングポイント(ｒａｎｄｏｍ  ｔｉｍｉｎｇ  ｐｏｉｎｔ)からオーディオ信号を再生する場合に、構成情報が存在しないことによりデコーディング空間情報に問題が発生する。すなわち、放送、ＶＯＤ(ｖｉｄｅｏ  ｏｎ  ｄｅｍａｎｄ)などの場合、オーディオ信号が初期部分から再生されないでユーザにより要請された特定タイミングポイントから再生されるので、オーディオ信号に含まれて伝送される構成情報を利用することができない。したがって、空間情報のデコーディングが不可能な場合があった。
【発明の開示】
【発明が解決しようとする課題】
【０００７】
したがって、本発明は上述したような従来技術の問題点を解決するためになされたもので、その目的は、空間情報信号内のフレームにヘッダーが選択的に含まれるようにしてオーディオ信号をデコーディングすることができる、オーディオ信号のエンコーディング及びデコーディング方法及び装置を提供することにある。
【０００８】
本発明のほかの目的は、複数のヘッダーが空間情報信号に含まれるようにして、オーディオ信号がオーディオ信号デコーディング装置によりランダムポイントから再生されても、オーディオ信号をデコーディングすることができるオーディオ信号のエンコーディング及びデコーディング方法及び装置を提供することにある。
【課題を解決するための手段】
【０００９】
前記目的を達成するための本発明によるオーディオ信号デコーディング方法は、ヘッダーが空間情報信号に含まれる場合、ダウンミックス信号及び空間情報信号を含むオーディオ信号を受信するステップと、ヘッダーから構成情報を抽出するステップと、空間情報信号に含まれた空間情報を抽出するステップと、構成情報及び空間情報を利用してダウンミックス信号を多重チャンネル信号に変換するステップと、を含む。
【発明の効果】
【００１０】
本発明によれば、ヘッダーは空間情報信号に選択的に含まれ、複数個のヘッダーが空間情報信号に含まれる場合、ランダムポイントからオーディオ信号が再生されても空間情報をデコーディングすることができる。
【発明を実施するための最良の形態】
【００１１】
以下、本発明の好ましい実施の形態について、添付図面を参照しつつ詳細に説明する。なお、説明において、同一な図面参照符号は、他の図面でも同一な要素に使用される。
【００１２】
本発明の理解のために、オーディオ信号のエンコーディング装置及び方法に関する説明は、オーディオ信号のデコーディング装置及び方法の説明に優先して説明する。また、本発明によるデコーディング装置及び方法は、後述するエンコーディング装置及び方法に制限されない。なお、本発明は、空間情報を利用して多重チャンネルを生成するオーディオコーディングスキーム(ｓｃｈｅｍｅ)と、ＭＰ３(ＭＰＥＧ１／２層III )及びＡＡＣ(ａｄｖａｎｃｅｄ  ａｕｄｉｏ  ｃｏｄｉｎｇ)に適用可能である。
【００１３】
図１は、本発明の一実施形態によるオーディオ信号エンコーディング装置からオーディオ信号デコーディング装置に伝送されたオーディオ信号を示す構成図である。
【００１４】
図１を参考すれば、オーディオ信号は、オーディオディスクリプタ(ｄｅｓｃｒｉｐｔｏｒ)１０１、ダウンミックス信号１０３及び空間情報信号１０５を含む。
【００１５】
放送などのためにオーディオ信号を再生するコーディングスキームを利用する場合、オーディオ信号は補助データ以外に、オーディオディスクリプタ１０１及びダウンミックス信号１０３を含むことができる。本発明は空間情報信号１０５を補助データとして含む。オーディオ信号のデコーディング装置がオーディオ信号を分析しないでオーディオコーデック(ｃｏｄｅｃ)の基本情報が分かるために、オーディオ信号はオーディオディスクリプタ１０１を選択的に含む。オーディオディスクリプタ１０１は、オーディオデコーディングに必要な基本情報、例えば、伝送されたオーディオ信号の伝送レート、チャンネル数、圧縮データのサンプリング周波数、現在使用されるコーデックを示す識別子などの少ない数の基本情報で構成される。
【００１６】
オーディオ信号のデコーディング装置は、オーディオディスクリプタ１０１を利用してオーディオ信号が使用するコーデックのタイプが分かる。特に、オーディオ信号デコーディング装置は、オーディオディスクリプタ１０１を利用して、受信されたオーディオ信号が空間情報信号１０５及びダウンミックス信号１０３を利用して多重チャンネルを復元する信号であるか否かが分かる。この場合、多重チャンネルは仮想３次元サラウンドと実際多重チャンネルを含む。仮想３次元サラウンド技術により、空間情報信号１０５及びダウンミックス信号１０３が一緒に結合されたオーディオ信号は一つまたは二つのチャンネルを通じて可聴できる。
【００１７】
オーディオディスクリプタ１０１は、オーディオ信号に含まれたダウンミックス信号１０３または空間情報信号１０５とは独立的に位置する。例えば、オーディオディスクリプタ１０１はオーディオ信号を示す別のフィールド内に位置する。
【００１８】
ヘッダーがダウンミックス信号１０３に提供されない場合、オーディオ信号デコーディング装置は、オーディオディスクリプタ１０１を利用してダウンミックス信号１０３をデコーディングすることができる。
【００１９】
ダウンミックス信号１０３は多重チャンネルのダウンミキシングから生成された信号である。ダウンミックス信号１０３は、オーディオ信号エンコーディング装置(図示せず)に含まれたダウンミキシング部(図示せず)から生成されるかまたは人工的に生成できる。
【００２０】
ダウンミックス信号１０３は、空間情報信号１０５を含む場合と、ヘッダーを含まない場合と、に分類できる。
【００２１】
ダウンミックス信号１０３がヘッダーを含む場合、ヘッダーはフレーム単位の各フレームに含まれる。ダウンミックス信号１０３がヘッダーを含まない場合、上述のように、ダウンミックス信号１０３はオーディオ信号デコーディング装置によりオーディオディスクリプタ１０１を利用してデコーディングされる。ダウンミックス信号１０３は各フレームに対するヘッダーを含む形態またはヘッダーを含まない形態を取ることができる。
【００２２】
また、空間情報信号１０５は、ヘッダー及び空間情報を含む場合と、ヘッダーを含まないで空間情報のみを含む場合と、に分類される。空間情報信号１０５のヘッダーは、ダウンミックス信号１０３のヘッダーとは異なり各フレームに同一に挿入される必要がない。特に、空間情報信号１０５はヘッダーを含むフレーム及びヘッダーを含まないフレームを一緒に利用することができる。空間情報信号１０５のヘッダーに含まれた大部分の情報は空間情報を解釈して空間情報をデコーディングする構成情報である。
【００２３】
図２は、本発明の他の実施形態によるオーディオ信号エンコーディング装置からオーディオ信号デコーディング装置に伝送されたオーディオ信号を示す構成図である。
【００２４】
図２を参考すれば、オーディオ信号はダウンミックス信号１０３及び空間情報信号１０５を含む。また、オーディオ信号はフレームが配列されるＥＳ(ｅｌｅｍｅｎｔａｒｙ  ｓｔｒｅａｍ)形態で存在する。
【００２５】
各々のダウンミックス信号１０３及び空間情報信号１０５は、個別ＥＳ形態としてオーディオ信号デコーディング装置に時々伝送される。また、ダウンミックス信号１０３及び空間情報信号１０５は、図２に示したように、オーディオ信号デコーディング装置に伝送される一つのＥＳ形態で結合することができる。
【００２６】
一つのＥＳ形態で結合されるダウンミックス信号１０３及び空間情報信号１０５がオーディオ信号デコーディング装置に伝送される場合、空間情報信号１０５はダウンミックス信号１０３の補助データまたは付加データ(拡張データ)の一部に含まれる。
【００２７】
また、オーディオ信号は、空間情報信号１０５がダウンミックス信号１０３と結合されるか否かを示す信号識別情報を含む。
【００２８】
空間情報信号１０５のフレームは、ヘッダー２０１及び空間情報２０３を含む場合と、空間情報２０３のみを含む場合と、に分類される。特に、空間情報信号１０５はヘッダー２０１を含むフレームとヘッダー２０１を含まないフレームとを一緒に使用することができる。
【００２９】
本発明において、ヘッダー２０１は少なくとも一度空間情報信号１０５に挿入される。特に、オーディオ信号エンコーディング装置は、空間情報信号１０５内の各フレームにヘッダー２０１を挿入するか、空間情報信号１０５内のフレームの各々の固定間隔にヘッダー２０１を周期的に挿入するか、または空間情報信号１０５内のフレームの各々のランダム間隔にヘッダー２０１を非周期的に挿入する。
【００３０】
オーディオ信号は、ヘッダー２０１がフレーム２０１に含まれるか否かを示す情報(以下、‘ヘッダー識別情報’と称する)を含む。
【００３１】
ヘッダー２０１が空間情報信号１０５に含まれる場合、オーディオ信号デコーディング装置は、ヘッダー２０１から構成情報２０５を抽出した後、構成情報２０５によってヘッダー２０１の後に伝送された空間情報２０３をデコーディングする。ヘッダー２０１は空間情報２０３を解釈するデコーディング用情報なので、ヘッダー２０１はオーディオ信号を伝送する初期ステージ(ｓｔａｇｅ)に伝送される。
【００３２】
ヘッダー２０１が空間情報信号１０５に含まれない場合、オーディオ信号デコーディング装置は、初期ステージで伝送されたヘッダー２０１を利用して空間情報２０３をデコーディングする。
【００３３】
オーディオ信号がオーディオ信号エンコーディング装置からオーディオ信号デコーディング装置に伝送される間ヘッダー２０１が喪失される場合、またはストリーミングフォーマット(ｓｔｒｅａｍｉｎｇ  ｆｏｒｍａｔ)で伝送されたオーディオ信号が放送などに使用される中間部分からデコーディングされる場合には、以前に伝送されたヘッダー２０１を使用することが不可能である。この場合、オーディオ信号デコーディング装置は、オーディオ信号に先に挿入された以前ヘッダー２０１と異なるヘッダー２０１から構成情報２０５を抽出した後、抽出された構成情報２０５を利用してオーディオ信号をデコーディングすることができる。この場合、オーディオ信号に挿入されたヘッダー２０１から抽出された構成情報２０５は、初期ステージで伝送されたかまたは初期ステージで伝送されなかったヘッダー２０１から抽出された以前構成情報２０５と同一なことがある。
【００３４】
ヘッダー２０１が可変である場合、構成情報２０５は新しいヘッダー２０１から抽出され、抽出された構成情報２０５がデコーディングされた後、ヘッダー２０１の後に送信された空間情報２０３がデコーディングされる。ヘッダー２０１が不変である場合、新しいヘッダー２０１が以前に伝送された古いヘッダー２０１と同一であるか否かを判定する。これら２個のヘッダー２０１が相異する場合、オーディオ信号伝送経路上のオーディオ信号にエラーが発生したことが検出される。
【００３５】
空間情報信号１０５のヘッダー２０１から抽出された構成情報２０５は、空間情報２０３を解釈するための情報である。
【００３６】
空間情報信号１０５は、オーディオ信号デコーディング装置によりダウンミックス信号１０３及び空間情報信号１０５を利用して多重チャンネルを生成する時、２個の信号の間の時間遅延差を判別するための情報(以下、‘時間整列情報’と称する)を含む。
【００３７】
オーディオ信号エンコーディング装置からオーディオ信号デコーディング装置に伝送されたオーディオ信号は、逆多重化部(図示せず)によりパーシング(ｐａｒｓｉｎｇ)された後、ダウンミックス信号１０３及び空間情報信号１０５に分離される。
【００３８】
逆多重化部により分離されたダウンミックス信号１０３はデコーディングされる。デコーディングされたダウンミックス信号１０３は空間情報信号１０５を利用して多重チャンネルを生成する。ダウンミックス信号１０３及び空間情報信号１０５を結合して多重チャンネルを生成するとき、オーディオ信号デコーディング装置は、空間情報信号１０５のヘッダー２０１から抽出された構成情報２０５に含まれた時間整列情報(図示せず)を利用して、２個の信号の間の同期化、２個の信号を結合する開始ポイントの位置などを調整することができる。
【００３９】
パラメータの適用が可能な時間スロットの位置情報２０７は空間情報信号１０５に含まれた空間情報２０３に含まれる。空間パラメータ(空間キュー(ｃｕｅ))としては、オーディオ信号の間のエネルギー差を示すＣＬＤ(ｃｈａｎｎｅｌ  ｌｅｖｅｌ  ｄｉｆｆｅｒｅｎｃｅｓ)、オーディオ信号の間の近接性または類似性を示すＩＣＣ(ｉｎｔｅｒｃｈａｎｎｅｌ ｃｏｒｒｅｌａｔｉｏｎｓ)、他の信号を利用してオーディオ信号値を予測する係数を示すＣＰＣ(ｃｈａｎｎｅｌ ｐｒｅｄｉｃｔｉｏｎ ｃｏｅｆｆｉｃｉｅｎｔｓ)がある。以下、各空間キューまたは空間キューのバンドル(ｂｕｎｄｌｅ)を‘パラメータ’と呼ぶ。
【００４０】
空間情報信号１０５に含まれたフレームにＮ個のパラメータが存在する場合、Ｎ個のパラメータは各々フレームの特定時間スロット位置に適用される。パラメータを示す情報が、フレーム内に含まれた時間スロットの中で一つが時間スロットの位置情報２０７と呼ばれる場合、オーディオ信号デコーディング装置は、パラメータが適用される時間スロットの位置情報２０７を利用して空間情報をデコーディングする。この場合、パラメータは空間情報２０３に含まれる。
【００４１】
図３は、本発明の一実施形態によるオーディオ信号デコーディング装置を示した概要ブロック図である。
【００４２】
図３を参考すれば、本発明の一実施形態によるオーディオ信号デコーディング装置は、受信部３０１及び抽出部３０３を含む。
【００４３】
オーディオ信号デコーディング装置の受信部３０１は、入力端子ＩＮ１を通じてオーディオ信号エンコーディング装置によりＥＳ形態で伝送されたオーディオ信号を受信する。
【００４４】
オーディオ信号デコーディング装置により受信されたオーディオ信号は、オーディオディスクリプタ１０１及びダウンミックス信号１０３を含み、さらに空間情報信号１０５を補助データまたは付加データ(拡張データ)として含む。
【００４５】
オーディオ信号デコーディング装置の抽出部３０３は、受信されたオーディオ信号に含まれたヘッダー２０１から構成情報２０５を抽出した後、抽出された構成情報２０５を出力端子ＯＵＴ１を通じて出力する。
【００４６】
オーディオ信号は、ヘッダー２０１がフレームに含まれるか否かを識別するためのヘッダー識別情報を含む。
【００４７】
オーディオ信号デコーディング装置は、オーディオ信号に含まれたヘッダー識別情報を利用してヘッダー２０１がフレームに含まれるか否かを識別する。ヘッダー２０１がフレームに含まれる場合、オーディオ信号デコーディング装置はヘッダー２０１から構成情報２０５を抽出する。本発明において、少なくとも一つのヘッダー２０１は空間情報信号１０５に含まれる。
【００４８】
図４は、本発明の他の実施形態によるオーディオ信号デコーディング装置を示したブロック図である。
【００４９】
図４を参考すれば、本発明の他の実施形態によるオーディオ信号デコーディング装置は、受信部３０１、逆多重化部４０１、コアデコーディング部４０３、多重チャンネル生成部４０５、空間情報デコーディング部４０７及び抽出部３０３を含む。
【００５０】
オーディオ信号デコーディング装置の受信部３０１は、オーディオ信号エンコーディング装置から入力端子ＩＮ１を通じてビットストリーム形態で伝送されたオーディオ信号を受信する。また、受信部３０１は受信されたオーディオ信号を逆多重化部４０１に伝送する。
【００５１】
逆多重化部４０１は、受信部３０１から伝送されたオーディオ信号をエンコードされたダウンミックス信号１０３及びエンコードされた空間情報信号１０５で分離する。逆多重化部４０１は、ビットストリームから分離されたエンコードされたダウンミックス信号１０３をコアデコーディング部４０３に伝送し、ビットストリームから分離されたエンコードされた空間情報信号１０５を抽出部３０３に伝送する。
【００５２】
エンコードされたダウンミックス信号１０３は、コアデコーディング部４０３によりデコーディングされた後、多重チャンネル生成部４０５に伝送される。エンコードされた空間情報信号１０５はヘッダー２０１及び空間情報２０３を含む。
【００５３】
ヘッダー２０１が空間情報信号１０５に含まれる場合、抽出部３０３はヘッダー２０１から構成情報２０５を抽出する。抽出部３０３は、オーディオ信号に含まれたヘッダー識別情報を利用してヘッダー２０１の存在を判別することができる。特に、ヘッダー識別情報はヘッダー２０１が空間情報信号１０５に含まれたフレームに含まれるか否かを示す。ヘッダー識別情報は、オーディオ信号のフレームまたはビットシーケンスの手順を示し、ここで、ヘッダー２０１から抽出された構成情報２０５はヘッダー２０１がフレーム内に含まれる場合に含まれる。
【００５４】
ヘッダー２０１がヘッダー識別情報を通じてフレーム内に含まれると決定されると、抽出部３０３はフレームに含まれたヘッダー２０１から構成情報２０５を抽出する。その後、抽出された構成情報２０５はデコーディングされる。
【００５５】
空間情報デコーディング部４０７は、デコーディングされた構成情報２０５によってフレームに含まれた空間情報２０３をデコーディングする。
【００５６】
なお、多重チャンネル生成部４０５は、デコーディングされたダウンミックス信号１０３及びデコーディングされた空間情報２０３を利用して多重チャンネルを生成し、その後、生成された多重チャンネル信号を出力端子ＯＵＴ２を通じて出力する。
【００５７】
図５は、本発明の一実施形態によるオーディオ信号をデコーディングする方法を示すフローチャートである。
【００５８】
図５を参考すれば、オーディオ信号デコーディング装置は、オーディオ信号エンコーディング装置からビットストリーム形態で伝送された空間情報信号１０５を受信する(ステップＳ５０１)。
【００５９】
上述のように、空間情報信号１０５は、ダウンミックス信号１０３から分離されたＥＳとして伝送される場合と、ダウンミックス信号１０３と結合して伝送される場合と、に分類できる。
【００６０】
オーディオ信号の逆多重化部４０１は、受信されたオーディオ信号をエンコードされたダウンミックス信号１０３及びエンコードされた空間情報信号１０５で分離する。エンコードされた空間情報信号１０５はヘッダー２０１及び空間情報２０３を含む。ヘッダー２０１が空間情報信号１０５のフレーム内に含まれる場合、オーディオ信号デコーディング装置はヘッダー２０１を識別する(ステップＳ５０３)。
【００６１】
オーディオ信号デコーディング装置は、ヘッダー２０１から構成情報２０５を抽出する(ステップＳ５０５)。
【００６２】
また、オーディオ信号デコーディング装置は、抽出された構成情報２０５を利用して空間情報２０３をデコーディングする(ステップＳ５０７)。
【００６３】
図６は、本発明の他の実施形態によるオーディオ信号デコーディング方法を示すフローチャートである。
【００６４】
図６を参考すれば、オーディオ信号デコーディング装置は、オーディオ信号エンコーディング装置からビットストリーム形態で伝送された空間情報信号１０５を受信する(ステップＳ５０１)。
【００６５】
上述のように、空間情報信号１０５は、ダウンミックス信号１０３から分離されたＥＳとして伝送される場合と、ダウンミックス信号１０３の補助データまたは拡張データに含まれて伝送される場合と、に分類できる。
【００６６】
オーディオ信号の逆多重化部４０１は、受信されたオーディオ信号からエンコードされたダウンミックス信号１０３及びエンコードされた空間情報信号１０５に分離する。エンコードされた空間情報信号１０５はヘッダー２０１及び空間情報２０３を含む。オーディオ信号デコーディング装置はヘッダー２０１がフレーム内に含まれるか否かを判定する(ステップＳ６０１)。
【００６７】
ヘッダー２０１がフレーム内に含まれる場合、オーディオ信号デコーディング装置はヘッダー２０１を識別する(ステップＳ５０３)。
【００６８】
オーディオ信号デコーディング装置は、ヘッダー２０１から構成情報２０５を抽出する(ステップＳ５０５)。
【００６９】
オーディオ信号デコーディング装置は、ヘッダー２０１から抽出された構成情報２０５が、空間情報信号１０５に含まれた第１のヘッダー２０１から抽出された構成情報２０５であるか否かを判定する(ステップＳ６０３)。
【００７０】
構成情報２０５がオーディオ信号から先に抽出されたヘッダー２０１から抽出される場合、オーディオ信号デコーディング装置は、構成情報２０５をデコーディングし(ステップＳ６１１)、デコーディングされた構成情報２０５によって構成情報２０５の後に伝送された空間情報２０３をデコーディングする。
【００７１】
オーディオ信号から抽出されたヘッダー２０１が空間情報信号１０５から先に抽出されたヘッダー２０１ではない場合、オーディオ信号デコーディング装置は、ヘッダー２０１から抽出された構成情報２０５が第１のヘッダー２０１から抽出された構成情報２０５と同一であるか否かを判定する(ステップＳ６０５)。
【００７２】
構成情報２０５が第１のヘッダー２０１から抽出された構成情報２０５と同一である場合、オーディオ信号デコーディング装置は、第１のヘッダー２０１から抽出されたデコーディングされた構成情報２０５を利用して空間情報２０３をデコーディングする。
【００７３】
抽出された構成情報２０５が第１のヘッダー２０１から抽出された構成情報２０５と同一ではない場合、オーディオ信号デコーディング装置は、オーディオ信号エンコーディング装置からオーディオ信号デコーディング装置への伝送経路上のオーディオ信号にエラーが発生した否かを判定する(ステップＳ６０７)。
【００７４】
構成情報２０５が可変の場合、構成情報２０５が第１のヘッダー２０１から抽出された構成情報２０５と同一ではなくてもエラーは発生しない。その結果、オーディオ信号デコーディング装置はヘッダー２０１を新しいヘッダー２０１に更新する(ステップＳ６０９)。その後、オーディオ信号デコーディング装置は、更新されたヘッダー２０１から抽出された構成情報２０５をデコーディングする(ステップＳ６１１)。
【００７５】
オーディオ信号デコーディング装置は、デコーディングされた構成情報２０５によって構成情報２０５の後に伝送された空間情報２０３をデコーディングする。
【００７６】
不変である構成情報２０５が第１のヘッダー２０１から抽出された構成情報２０５と同一ではない場合は、エラーがオーディオ信号伝送経路上で発生することを意味する。したがって、オーディオ信号デコーディング装置は、エラーがある構成情報２０５を含むフレーム内に含まれる空間情報２０３を除去するか、または空間情報２０３のエラーを修正する(ステップＳ６１３)。
【００７７】
図７は、本発明の更に他の実施形態によるオーディオ信号デコーディング方法を示すフローチャートである。
【００７８】
図７を参考すれば、オーディオ信号デコーディング装置は、オーディオ信号エンコーディング装置からビットストリーム形態で伝送された空間情報信号１０５を受信する(ステップＳ５０１)。
【００７９】
オーディオ信号の逆多重化部４０１は、受信されたオーディオ信号からエンコードされたダウンミックス信号１０３及びエンコードされた空間情報信号１０５に分離する。この場合、パラメータが適用される時間スロットの位置情報２０７は空間情報信号１０５に含まれる。
【００８０】
オーディオ信号デコーディング装置は、空間情報２０３から時間スロットの位置情報２０７を抽出する(ステップＳ７０１)。
【００８１】
オーディオ信号デコーディング装置は、時間スロットの位置を調節することによって対応する時間スロットにパラメータを適用し、このパラメータは時間スロットの抽出された位置情報を利用して適用される(ステップＳ７０３)。
【００８２】
図８は、本発明の一実施形態による量(ｑｕａｎｔｉｔｙ)を示す位置情報を獲得する方法を示すフローチャートである。時間スロットの量を示す位置情報は、時間スロットの位置情報２０７を示すように割り当てられたビット数である。
【００８３】
第１のパラメータが適用される時間スロットの量を示す位置情報は、時間スロットの数からパラメータの数を減算し、減算結果に１を加算し、加算した値にＬｏｇ2を取り、ログ値に天井(ｃｅｉｌ)関数を適用することにより求められる。特に、第１のパラメータが適用される時間スロットの量を示す位置情報は、Ｃｅｉｌ(ｌｏｇ2（ｋ−ｉ＋１))により分かり、ここで、‘ｋ’及び‘ｉ’は時間スロットの数及びパラメータの数を示す。
【００８４】
‘Ｎ’が自然数であると仮定すれば、(Ｎ＋１)番目のパラメータが適用される時間スロットの量を示す位置情報は、Ｎ番目のパラメータが適用される時間スロットの位置情報２０７として表現される。この場合、Ｎ番目のパラメータが適用される時間スロットの位置情報２０７は、Ｎ番目のパラメータが適用される時間スロットと、(Ｎ−１)番目のパラメータが適用される時間スロットとの間に存在する時間スロットの数を(Ｎ−１)番目のパラメータが適用される時間スロットの位置情報に加算し、加算した値に１を加えて求められる(ステップＳ８０１)。特に、(Ｎ＋１)番目のパラメータが適用される時間スロットの位置情報は、ｊ(Ｎ)＋ｒ(Ｎ＋１)＋１で分かり、ここで、ｒ(Ｎ＋１)は、(Ｎ＋１)番目のパラメータが適用される時間スロットとＮ番目のパラメータが適用される時間スロットとの間に存在する時間スロットの数を示す。
【００８５】
Ｎ番目のパラメータが適用される時間スロットの位置情報２０７が知られた場合、(Ｎ＋１)番目のパラメータが適用される時間スロットの位置を示す量を表現した時間スロット位置情報を獲得することができる。特に、(Ｎ＋１)番目のパラメータが適用される時間スロットの位置を示す量を表現した時間スロット位置情報は、フレームに適用されたパラメータの数及びＮ番目のパラメータが適用される時間スロットの位置情報を、時間スロットの数から減算し、減算値に(Ｎ＋１)を加えて求められる(ステップＳ８０３)。特に、(Ｎ＋１)番目のパラメータが適用される時間スロットの量を示す位置情報は、Ｃｅｉｌ(ｌｏｇ2(ｋ−ｉ＋Ｎ＋１−ｊ(Ｎ)))により分かり、ここで、‘ｋ’、‘ｉ’及び‘ｊ(Ｎ)’は、時間スロットの数、パラメータの数及びＮ番目のパラメータが適用される時間スロットの位置情報２０５を示す。
【００８６】
上述のように、時間スロットの量を示す位置情報を獲得する場合、(Ｎ＋１)番目のパラメータが適用される時間スロットの量を示す位置情報は、‘Ｎ’に反比例する割当ビットの数を有する。すなわち、パラメータが適用される時間スロットの量を示す位置情報は‘Ｎ’に従属する可変値である。
【００８７】
図９は、本発明の更に他の実施形態によるオーディオ信号デコーディング方法を示すフローチャートである。
【００８８】
オーディオ信号デコーディング装置は、オーディオ信号エンコーディング装置からオーディオ信号を受信する(ステップＳ９０１)。オーディオ信号は、オーディオディスクリプタ１０１、ダウンミックス信号１０３及び空間情報信号１０５を含む。
【００８９】
オーディオ信号デコーディング装置は、オーディオ信号に含まれたオーディオディスクリプタ１０１を抽出する(ステップＳ９０３)。オーディオコーデックを示す識別子はオーディオディスクリプタ１０１に含まれる。
【００９０】
オーディオ信号デコーディング装置は、オーディオディスクリプタ１０１を利用してオーディオ信号がダウンミックス信号１０３及び空間情報信号１０５を含むと認識する。特に、オーディオ信号デコーディング装置は、伝送されたオーディオ信号が空間情報信号１０５を利用して多重チャンネルを生成するための信号であると判別することができる(ステップＳ９０５)。
【００９１】
また、オーディオ信号デコーディング装置は、空間情報信号１０５を利用してダウンミックス信号１０３を多重チャンネル信号に変換する。上述のように、ヘッダー２０１は所定間隔で空間情報信号１０５に含むことができる。
【産業上の利用可能性】
【００９２】
上述のように、本発明によるオーディオ信号のエンコーディング及びデコーディング方法及び装置は、ヘッダーが空間情報信号に選択的に含まれる。
【００９３】
また、複数のヘッダーが空間情報信号に含まれる場合、本発明によるオーディオ信号のエンコーディング及びデコーディング方法及び装置は、オーディオ信号がオーディオ信号デコーディング装置によりランダムポイントから再生されても空間情報をデコーディングすることができる。
【００９４】
以上、本発明の詳細な説明においては具体的な実施形態に関して説明したが、形式や細部についての様々な変更が、特許請求の範囲の記載により規定されるような本発明の精神及び範囲から逸脱することなく行われることが可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００９５】
【図１】本発明の一実施形態におけるオーディオ信号の構成図である。
【図２】本発明の他の実施形態におけるオーディオ信号の構成図である。
【図３】本発明の一実施形態におけるオーディオ信号デコーディング装置のブロック図である。
【図４】本発明の他の実施形態におけるオーディオ信号デコーディング装置のブロック図である。
【図５】本発明の一実施形態におけるオーディオ信号デコーディング方法を示すフローチャートである。
【図６】本発明の他の実施形態におけるオーディオ信号デコーディング方法を示すフローチャートである。
【図７】本発明の更に他の実施形態におけるオーディオ信号デコーディング方法を示すフローチャートである。
【図８】本発明の一実施形態による量(ｑｕａｎｔｉｔｙ)を示す位置情報を獲得する方法を示すフローチャートである。
【図９】本発明の更に他の実施形態におけるオーディオ信号デコーディング方法を示すフローチャートである。
【図１】
2009500659.tif 000003
【図２】
2009500659.tif 000004
【図３】
2009500659.tif 000005
【図４】
2009500659.tif 000006
【図５】
2009500659.tif 000007
【図６】
2009500659.tif 000008
【図７】
2009500659.tif 000009
【図８】
2009500659.tif 000010
【図９】
2009500659.tif 000011
【国際調査報告】
2009500659.tif 000012
2009500659.tif 000013
2009500659.tif 000014